(57)【要約】  【課題】扉部の真空断熱材をリサイクルしやすい状態で回収できる冷蔵庫を提供する。  【解決手段】扉部２の庫内側に設けられた食品を収納するドアバック１１には、真空断熱材７を適切に取り出すときの切り出し位置を示すマーク１３が設けられており、扉部２を解体するときに、マーク１３に沿ってドアバック１１を切断することにより、真空断熱材７を取り出す。このマーク１３は、ドアバック１１の真空成形過程において、マーク１３を設けたい位置に対し真空成形用の金型を加工することにより設ける。【選択図】図２
2006118809.tif 000002
【特許請求の範囲】
【請求項１】
少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記扉部の庫内側に設けられた食品を収納するドアバック正面に前記真空断熱材を適切に取り出すときの切り出し位置を示すマークを設けた冷蔵庫。
【請求項２】
少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記扉部の庫内側に設けられた食品を収納するドアバック側面に前記真空断熱材を適切に取り出すときの切り出し位置を示すマークを設けた冷蔵庫。
【請求項３】
前記マークがドアバック作製時に設けられることを特徴とする請求項１または請求項２記載の冷蔵庫。
【請求項４】
少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記壁部と扉部の間のガスケットに、前記扉部の庫内側に設けられた食品を収納するドアバックを切断して前記真空断熱材を適切に取り出すときの切り出し位置を示すマークを設けた冷蔵庫。
【請求項５】
少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記扉部の周囲に設けられた枠に、前記扉部を切断して前記真空断熱材を適切に取り出すときの切り出し位置を示すマークを設けた冷蔵庫。
【請求項６】
前記マークが前記枠の作製時に設けられることを特徴とする請求項５記載の冷蔵庫。
【発明の詳細な説明】
【技術分野】
【０００１】
本発明は、扉の内板と外板との間に真空断熱材を装着した冷蔵庫に関するものである。
【背景技術】
【０００２】
近年、地球環境保護の視点より、省エネルギーや省資源に対して、様々な取り組みがなされている。家電製品においては、消費電力の削減による省エネルギー化や解体回収により再利用して、省資源化や環境汚染防止がはかられている。特に冷蔵庫では、断熱効率の良い真空断熱材の利用による省エネルギー化と、真空断熱材の解体回収による省資源化が求められている。
【０００３】
この真空断熱材料の再利用は、埋め立てや、焼却による環境汚染の抑制につながり、省資源の観点からも極めて重要である。
【０００４】
回収された冷蔵庫は破砕材料として搬入される。搬入された破砕材料が、種々の破砕機器を用いて機械的に破砕される。つぎに、破砕された金属類やゴム等の重い物は、振動コンベアと磁力選別とにより、鉄や非鉄金属およびゴム等に分類され、再利用や廃棄される。
【０００５】
一方破砕された材料の内、内板や断熱材を構成する樹脂材料等の軽いものは、真空断熱材処理工程に送るため、破砕後、ダクトにより吸い出され、サイクロンに送られる。サイクロン内では、真空断熱材の芯材を形成しているガラス繊維と、ポリエステル樹脂等で形成されている芯材外包する袋や、発泡ウレタン樹脂の充填断熱材やＡＢＳ樹脂等の樹脂で形成される内板等の材料に分別される。
【０００６】
なお、芯材を形成するガラス繊維は、単に繊維の集綿体の状態、または集綿体を結合材で固めた状態のいずれかで用いている。次いで、真空断熱材のガラス繊維のみを分別回収する。回収された真空断熱材のガラス繊維は、再処理工程で、混入しているガラス繊維以外の材料や、破砕により細かく粉砕されたガラス繊維を不純物として除去して、所定長さ以上のガラス繊維が処理選別される。このようにして選別されたガラス繊維は、ガラス繊維の断熱材として再利用される。
【０００７】
樹脂製内箱と金属製外箱との間に発泡断熱材を充填した構成を有する冷蔵庫において、金属製外箱の背面に開口部を設け、この開口部を別の蓋材により封口し、発泡断熱材が金属製外箱の内面に設けられた潤滑性剥離層を介して設けられ、冷蔵庫の解体時には金属製外箱と樹脂製内箱とを接続している領域部を切断した後、開口部からピストンにより金属製外箱と発泡断熱材とを分離する方法が、特許文献１に開示されている。
【特許文献１】特開平７−５２１７０号公報
【発明の開示】
【発明が解決しようとする課題】
【０００８】
しかしながら上記のような構成では、破砕することにより、全ての材料が混在し、分離、分別に時間、労力がかかるという課題がある。また真空断熱材の主材料である芯材はガラス繊維のためもろく、繊維長さが短く裁断されやすい。このため、ガラス繊維として再加工できないものが多くなり、真空断熱材として用いることが可能な長さのガラス繊維の回収率が低下するという課題を有していた。
【０００９】
また、特許文献１に開示された冷蔵庫は、冷蔵庫としての設計に制約を受ける。
【００１０】
本発明は、上記課題を解決するものであり、真空断熱材をリサイクルしやすい状態で回収できる冷蔵庫を提供することを目的とする。
【課題を解決するための手段】
【００１１】
上記目的を達成するために本発明は、真空断熱材を充填断熱材と共に扉部の断熱材に用いた冷蔵庫において、前記扉部の庫内側に設けられた食品を収納するドアバックの正面または側面、または前記壁部と扉部の間のガスケット、または前記扉部の周囲に設けられた枠に、真空断熱材を適切に取り出すときの切り出し位置を示すマークを設けたのである。
【００１２】
これにより、マークに従い正確にドアバックまたは前記扉部を切断することで、真空断熱材あるいは真空断熱材を構成する材料を再利用しやすい形状で容易に回収することができる。更に、真空断熱材は、破砕分別と再処理により回収する方法より、安価に再利用することができるとともに、破砕により回収しきれない材料の廃棄や焼却処理による環境汚染も抑制することができる。また、マークをドアバック側に設けることにより冷蔵庫のデザインを低下させないメリットが得られる。
【発明の効果】
【００１３】
本発明によれば、真空断熱材あるいは真空断熱材を構成する材料を、扉部より再利用しやすい形状で容易に回収することができる効果が得られる。更に、真空断熱材は、破砕分別と再処理により回収する方法より、安価に再利用することができるとともに、破砕により回収しきれない材料の廃棄や焼却処理による環境汚染も抑制することができる。また、冷蔵庫のデザインを低下させないメリットが得られる。
【発明を実施するための最良の形態】
【００１４】
本発明の請求項１に記載の冷蔵庫の発明は、少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記扉部の庫内側に設けられた食品を収納するドアバック正面に前記真空断熱材を適切に取り出すときの切り出し位置を示すマークを設けたものであり、ドアバック正面のマークに従い正確にドアバックを切断することで、真空断熱材あるいは真空断熱材を構成する材料を再利用しやすい形状で容易に回収することができる効果が得られる。
【００１５】
更に、真空断熱材は、破砕分別と再処理により回収する方法より、安価に再利用することができるとともに、破砕により回収しきれない材料の廃棄や焼却処理による環境汚染も抑制することができる。
【００１６】
その上に、前記マークを扉部につけた場合には、扉部は冷蔵庫の顔でありそこに真空断熱材の切り出し推奨位置のマークを設けることはデザイン上大変なイメージ低下を招くが、このマークをドアバック側に設けることにより冷蔵庫のデザインを低下させないメリットが得られる。なお、少なくとも冷蔵機能を有する冷蔵庫としては、通常の冷蔵庫、冷凍庫または冷凍冷蔵庫等を含む。
【００１７】
本発明の請求項２に記載の冷蔵庫の発明は、少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記扉部の庫内側に設けられた食品を収納するドアバック側面に前記真空断熱材を適切に取り出すときの切り出し位置を示すマークを設けたものであり、請求項１に記載の発明の作用効果に加えて、ドアバックの正面にマークとして表示できる寸法より大きな真空断熱材を適用する場合、ドアバックの正面に真空断熱材の推奨切断位置のマークを設けることは困難であるが、ドアバック側面ではドアバック正面のマークの場合より大きな真空断熱材を適用した場合の推奨切断位置を表示することができる。また、推奨切断位置のマークはドアバック側面に設けられているため、扉部の切断はドアバック側、扉の表側の両方の方向からの切断に対応できる。
【００１８】
本発明の請求項３に記載の冷蔵庫の発明は、請求項１または請求項２記載の発明における前記マークが、ドアバック作製時に設けられるものであり、請求項１または請求項２記載の発明の作用効果に加えて、ドアバックの成形時にマークが設けられるため、マーク作製のための余分な工数を必要としないため、冷蔵庫製造が効率的に行うことができると共に、マークを例えば凸凹を有する自由な形とする事ができる効果が得られる。
【００１９】
本発明の請求項４に記載の冷蔵庫の発明は、少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記壁部と扉部の間のガスケットに、前記扉部の庫内側に設けられた食品を収納するドアバックを切断して前記真空断熱材を適切に取り出すときの切り出し位置を示すマークを設けたものであり、請求項１記載の発明の作用効果に加えて、次の効果が得られる。ガスケットに真空断熱材の推奨切断位置のマークが設けられているため、扉部だけではなく冷蔵庫の側面、天面等の外板面に設けられている真空断熱材の推奨切断位置も示すことができる効果が得られる。
【００２０】
本発明の請求項５に記載の冷蔵庫の発明は、少なくとも冷蔵機能を有する冷蔵庫を構成する扉部が、前記冷蔵庫内に面する内板と前記冷蔵庫の外部に面する外板と、前記内板と前記外板との間に装着された真空断熱材及び充填断熱材とを含み、前記扉部の周囲に設けられた枠に、前記扉部を切断して前記真空断熱材を適切に取り出すときの切り出し位置を示すマークを設けたものであり、請求項１記載の発明の作用効果に加えて、次の効果が得られる。枠に扉部の推奨切断位置を示すマークを設けることにより、マークを極力隠すこと、またマークをデザインとして取り入れることが可能となる。
【００２１】
本発明の請求項６に記載の冷蔵庫の発明は、請求項５記載の発明における前記マークが、前記枠の作製時に設けられるものであり、請求項５記載の発明の作用効果に加えて、枠の成形時にマークが設けられるため、マーク作製のための余分な工数を必要としないため、冷蔵庫製造が効率的に行うことができると共に、マークを例えば凸凹を有する自由な形とする事ができる効果が得られる。
【００２２】
以下、本発明による冷蔵庫の実施の形態について図面を参照しながら説明する。なお、この実施の形態によってこの発明が限定されるものではない。
【００２３】
（実施の形態１）
本発明の実施の形態１にかかる冷蔵庫について、図１〜図３を用いて説明する。図１は本発明の実施の形態１の冷蔵庫の外観を示す斜視図である。図２は同実施の形態の冷蔵庫の扉部の背面図である。図３は同実施の形態の冷蔵庫の扉部の断面図である。
【００２４】
図１において、冷蔵庫１は、前面には扉部２があり、他の面は壁部３で囲われ、内部の温度維持ができるように構成されている。扉部２と壁部３とは、鉄板等で形成される外板４と、樹脂で形成される内板５と、これらの間に粉体やガラス繊維を芯材６として形成されている真空断熱材７と、発泡ウレタン樹脂の充填断熱材８とを有して構成されている。扉部２背面には、扉部２を閉めたときに冷蔵庫１の庫内への室内の空気の流入防止するガスケット８ａが設けられている。
【００２５】
なお、真空断熱材７には、図３に示すように外被材９のヒレ部１０が周囲に設けられている。また、扉部２の内板であるドアバック１１は棚を装着するリブ１２を有している。ドアバック１１には、真空断熱材７を適切に取り出すときの切り出し位置を示すマーク１３が設けられており、扉部２を解体するときに、マーク１３に沿ってドアバック１１を切断することにより、真空断熱材７を取り出す。
【００２６】
このマーク１３は、ドアバック１１の真空成形過程において、マーク１３を設けたい位置に対し真空成形用の金型を加工することにより設ける。このマーク１３は、真空断熱材７あるいはその構成材料を効率的にリサイクルするために冷蔵庫メーカーが決定する真空断熱材７切り出し位置を示すものであり、真空断熱材７の装着位置を示すものではない。
【００２７】
真空断熱材７は、図２の２点破線で示すように扉部２の周囲より所定の間隔をあけて、かつ移動や、偏りが生じないように外板４とドアバック１１との間に固定されている。さらに、充填断熱材８を注入して、扉部２の断熱性を向上させることができる。この充填断熱材８は、用いても用いなくても良いが、用いない方が真空断熱材７の回収は容易となる。この構成は壁部３も同様である。
【００２８】
図１に示すように本実施の形態では、上記したように冷蔵庫１の解体切断時に真空断熱材７あるいはその構成材料を効率的にリサイクルするために冷蔵庫メーカーが決定する真空断熱材７切り出し位置を示すものであり、このマーク１３が示す線上を正確に沿って切断することで、真空断熱材７または真空断熱材７を構成する材料を効率的に取り出せるように冷蔵庫１の扉部２を切断できる。
【００２９】
この場合、真空断熱材７の真空包装を損傷することなく冷蔵庫１の扉部２を切断しても良いし、真空断熱材７を構成する材料を効率的に取り出すことを考慮して例えば真空断熱材７の中央部にマーク１３を設けて切断を行い、真空断熱材７の真空包装を損傷して取り出しても良い。
【００３０】
切断後は、既知の任意の方法で、外板４、ドアバック１１および充填断熱材８を除去する等により、真空断熱材７あるいは真空断熱材７を構成する材料を効率的に回収することができる。なお、充填断熱材８を用いない構成の場合は、ドアバック１１の切断をしなくても、外板４と真空断熱材７を扉部２より分離することができる。
【００３１】
扉部２の切断手段については特に限定はなく、切断砥石、切断のこぎり、レーザーまたは高圧水等の既知の設備を用いることができる。いずれの切断手段を用いても、真空断熱材７あるいは真空断熱材７を構成する材料を効率的に取り出す位置についてはマーク１３により容易に判断できる。
【００３２】
また、マーク１３は、これを扉部２につけた場合には、扉部２は冷蔵庫１の顔でありそこに真空断熱材７の切り出し推奨位置のマーク１３を設けることはデザイン上大変なイメージ低下を招くが、このマーク１３をドアバック１１側に設けることにより冷蔵庫１のデザインを低下させないメリットが得られる。
【００３３】
また、推奨切断位置のマークはドアバック１１側面に設けられているため、扉部２の切断はドアバック１１側、扉部２の表側の両方の方向からの切断に対応できる。また、マーク１３は内板５のドアバック１１への真空成形時にその金型を加工することにより簡単に作製することができ、またその形状は凸凹形状も有することができる効果も得られる。
【００３４】
（実施の形態２）
本発明の実施の形態２にかかる冷蔵庫について、図４を用いて説明する。図４は本発明の実施の形態２の冷蔵庫の扉部の断面図である。
【００３５】
図４に示すように、真空断熱材７を適切に取り出すときに扉部２を切断する位置を示すマーク１４は、扉部２のドアバック１１の側面に設けられる。扉部２を解体するときに、マーク１４をベースに真空断熱材７を取り出すためのドアバックの推奨切断位置を決定することができる。具体的には、ドアバック１１の上下左右４つの側面にはそれぞれ２ヶ所ずつマーク１４が設けられており、左上と右上、左下と右下、上段左と下段左、上段右と下段右のそれぞれのマーク１４を結ぶことにより扉部２の推奨切断位置を決定できる。
【００３６】
この位置を決定後、切断手段によりマーク１４に沿って正確にドアバック１１を切断することにより真空断熱材７を取り出す事ができる。このマーク１４はドアバック１１の真空成形過程において、マーク１４を設けたい位置に対し真空成形用の金型を加工することにより設ける。
【００３７】
このマーク１４は真空断熱材７あるいはその構成材料を効率的にリサイクルするために冷蔵庫メーカーが決定する真空断熱材７切り出し位置を示すものであり、真空断熱材７の装着位置を示すものではない。
【００３８】
真空断熱材７は、扉部２の周囲より所定の間隔をあけて、移動や、偏りが生じないように外板４とドアバック１１との間に固定されている。さらに、充填断熱材８を注入して、壁部２の断熱性を向上させることができる。この充填断熱材８は、用いても用いなくても良いが、用いない方が真空断熱材７の回収は容易となる。この構成は扉部３も同様である。
【００３９】
図４に示すように本実施の形態では、上記したように扉部２の解体切断時に真空断熱材７あるいはその構成材料を効率的にリサイクルするために冷蔵庫メーカーが決定する真空断熱材７切り出し位置を示すものであり、このマーク１４が示す線上を正確に沿って切断することで、真空断熱材７または真空断熱材７を構成する材料を効率的に取り出せるように冷蔵庫１の扉部２を切断できる。
【００４０】
この場合、真空断熱材７の真空包装を損傷することなく冷蔵庫１の扉部２を切断しても良いし、真空断熱材７を構成する材料を効率的に取り出すことを考慮して例えば真空断熱材７の中央部にマーク１４を設けて切断を行い、真空断熱材７の真空包装を損傷して取り出しても良い。
【００４１】
切断後は、既知の任意の方法で、外板４、ドアバック１１および充填断熱材８を除去する等により、真空断熱材７あるいは真空断熱材７を構成する材料を効率的に回収することができる。なお、充填断熱材８を用いない構成の場合は、ドアバック１１の切断をしなくても、外板４と真空断熱材７を扉部２より分離することができる。
【００４２】
扉部２の切断手段については特に限定はなく、切断砥石、切断のこぎり、レーザーまたは高圧水等の既知の設備を用いることができる。いずれの切断手段を用いても、真空断熱材７あるいは真空断熱材７を構成する材料を効率的に取り出す位置についてはマーク１４により容易に判断できる。
【００４３】
また、マーク１４はこれを扉部２につけた場合には、扉部２は冷蔵庫１の顔でありそこに真空断熱材７の切り出し推奨位置のマーク１４を設けることはデザイン上大変なイメージ低下を招くが、このマーク１４をドアバック１１側に設けることにより冷蔵庫１のデザインを低下させないメリットが得られる。
【００４４】
また、ドアバック１１の正面にマークとして表示できる寸法より大きな真空断熱材７を適用する場合、ドアバック１１の正面に真空断熱材７の推奨切断位置のマークを設けることは困難であったが、ドアバック１１の側面ではドアバック１１正面のマークの場合より大きな真空断熱材７を適用した場合の推奨切断位置を表示することができる。
【００４５】
また、推奨切断位置のマークはドアバック１１側面に設けられているため、扉部２の切断はドアバック１１側、扉部２の表側の両方の方向からの切断に対応できる。また、マーク１４はドアバック１１への真空成形時にその金型を加工することにより簡単に作製することができ、またその形状は凸凹形状も有することができる効果も得られる。
【００４６】
マーク１４はドアバック１１の上下左右の４つの面に設ける場合について説明を行ったがマーク１４はドアバック１１の上下または左右の２つの面に設けられた場合でも上面右と下面右、上面左と下面左または左面上と右面上、左面下と右面下を結ぶことによりマーク１４がそれぞれ得られる。
【００４７】
このマーク１４に正確に沿って扉部２を切断することにより真空断熱材７あるいは真空断熱材７を構成する材料を効率的に回収することができるため、マーク１４は、少なくとも対抗する２つの面にあった場合でもよい。
【００４８】
（実施の形態３）
本発明の実施の形態３にかかる冷蔵庫について、図５、図６を用いて説明する。図５は本発明の実施の形態３の冷蔵庫の扉部の断面図である。図６は同実施の形態の冷蔵庫の扉部の背面図である。
【００４９】
図６に示すように、真空断熱材７を適切に取り出すときに扉部２を切断する位置を示すマーク１５は、扉部２のガスケット８ａに設けられる。扉部２を解体するときに、ガスケット８ａに設けられたマーク１５をベースに真空断熱材７を取り出すためのドアバック１１の推奨切断位置を決定することができる。
【００５０】
ガスケットの４つの側面には、それぞれ２ヶ所ずつマーク１５が設けられており、左上と右上、左下と右下、上段左と下段左、上段右と下段右のそれぞれのマーク１５を結ぶことにより扉部２の推奨切断位置を決定できる。
【００５１】
この位置を決定後、切断手段によりマーク１５に沿って正確にドアバック１１を切断することにより真空断熱材７を取り出す事ができる。このマーク１５はドアバック１１の真空成形過程において、マーク１５を設けたい位置に対し真空成形用の金型を加工することにより設ける。
【００５２】
このマーク１５は真空断熱材７あるいはその構成材料を効率的にリサイクルするために冷蔵庫メーカーが決定する真空断熱材７切り出し位置を示すものであり、真空断熱材７の装着位置を示すものではない。
【００５３】
真空断熱材７は、図７の２点破線で示すように壁部２の周囲より所定の間隔をあけて、かつ移動や、偏りが生じないように外板４と内板５との間に固定されている。さらに、充填断熱材８を注入して、壁部２の断熱性を向上させることができる。この充填断熱材８は、用いても用いなくても良いが、用いない方が真空断熱材７の回収は容易となる。この構成は壁部３も同様である。
【００５４】
本実施の形態では、上記したように扉部２の解体切断時に真空断熱材７あるいはその構成材料を効率的にリサイクルするために冷蔵庫メーカーが決定する真空断熱材７切り出し位置を示すものであり、このマーク１５が示す線上を正確に沿って切断することで、真空断熱材７または真空断熱材７を構成する材料を効率的に取り出せるように冷蔵庫１の扉部２を切断できる。
【００５５】
この場合、真空断熱材７の真空包装を損傷することなく冷蔵庫１の扉部２を切断しても良いし、真空断熱材７を構成する材料を効率的に取り出すことを考慮して例えば真空断熱材７の中央部にマーク１５を設けて切断を行い、真空断熱材７の真空包装を損傷して取り出しても良い。
【００５６】
切断後は、既知の任意の方法で、外板４、ドアバック１１および充填断熱材８を除去する等により、真空断熱材７あるいは真空断熱材７を構成する材料を効率的に回収することができる。なお、充填断熱材８を用いない構成の場合は、ドアバック１１の切断をしなくても、外板４と真空断熱材７を扉部２より分離することができる。
【００５７】
扉部２の切断手段については特に限定はなく、切断砥石、切断のこぎり、レーザーまたは高圧水等の既知の設備を用いることができる。いずれの切断手段を用いても、真空断熱材７あるいは真空断熱材７を構成する材料を効率的に取り出す位置についてはマーク１５により容易に判断できる。
【００５８】
また、マーク１５は、これを扉部２につけた場合には、扉部２は冷蔵庫１の顔でありそこに真空断熱材７の切り出し推奨位置のマーク１５を設けることはデザイン上大変なイメージ低下を招くが、このマーク１５をガスケット８ａ側に設けることにより冷蔵庫１のデザインを低下させないメリットが得られる。
【００５９】
更に、ガスケット８ａに真空断熱材７の推奨切断位置のマークが設けられているため、扉部２だけではなく冷蔵庫１の側面、天面等の外板面に設けられている真空断熱材の推奨切断位置もこのガスケット８ａでの表示にすることができる効果が得られ、更にガスケット８ａはドアバック１１よりも扉部２の外周側にあるため扉部２切断のための推奨切断位置をより決定しやすい効果が得られる。
【００６０】
その上に、推奨切断位置のマーク１４はガスケット８ａに設けられているため、扉部２の切断はドアバック１１側、扉部２の表側の両方の方向からの切断に対応できる。また、マーク１５はガスケットの作製時にその金型を加工することにより簡単に作製することができ、またその形状は凸凹形状も有することができる効果も得られる。
【００６１】
なお、マーク１５はガスケット８ａの上下左右の４つの面に設ける場合について説明を行ったがマーク１５はガスケット８ａの上下または左右の２つの面に設けられた場合でも上面右と下面右、上面左と下面左または左面上と右面上、左面下と右面下を結ぶことによりマーク１５がそれぞれ得られる。
【００６２】
このマーク１５に正確に沿って扉部２を切断することにより真空断熱材７あるいは真空断熱材７を構成する材料を効率的に回収することができるため、マーク１５は、少なくとも対向する２つの面にあった場合でもよい。
【００６３】
（実施の形態４）
本発明の実施の形態４にかかる冷蔵庫について、図７を用いて説明する。図７は本発明の実施の形態４の冷蔵庫の扉部の正面図である。
【００６４】
図７に示すように、扉部２の周囲に設けられている枠１７に、真空断熱材７を適切に取り出すときに扉部２を切断する位置を示すマーク１６が設けられている。扉部２を解体するときに、枠１７に設けられたマーク１６をベースに真空断熱材７を取り出すためのドアバック１１の推奨切断位置を決定することができる。
【００６５】
具体的には、扉部２の上下左右の４つの側には枠１７が設けられており、その枠１つ１つには、それぞれ２ヶ所ずつマーク１６が設けられており、枠左の上と枠右の上、枠左の下と枠右の下、枠上の左と枠下の左、枠上の右と枠下の右のそれぞれのマーク１６を結ぶことにより扉部２の推奨切断位置を決定できる。
【００６６】
この位置を決定後、切断手段によりマーク１６に沿って正確に扉部２を切断することにより真空断熱材７を取り出す事ができる。このマーク１６は枠１７の製造過程において、マーク１６を設けたい位置に対し金型を加工することにより設けることができる。
【００６７】
このマーク１６は真空断熱材７あるいはその構成材料を効率的にリサイクルするために冷蔵庫メーカーが決定する真空断熱材７切り出し位置を示すものであり、真空断熱材７の装着位置を示すものではない。
【００６８】
真空断熱材７は、図７に２点破線で示すように壁部２の周囲より所定の間隔をあけて、かつ移動や、偏りが生じないように外板４と内板５との間に固定されている。さらに、充填断熱材８を注入して、壁部２の断熱性を向上させることができる。この充填断熱材８は、用いても用いなくても良いが、用いない方が真空断熱材７の回収は容易となる。この構成は扉部２も同様である。
【００６９】
図８に示すように本実施の形態では、マーク１６は、上記したように扉部２の解体切断時に真空断熱材７あるいはその構成材料を効率的にリサイクルするために冷蔵庫メーカーが決定する真空断熱材７切り出し位置を示すものであり、このマーク１６の線上を正確に沿って切断することで、真空断熱材７または真空断熱材７を構成する材料を効率的に取り出せるように扉部２を切断できる。
【００７０】
この場合、真空断熱材７の真空包装を損傷することなく扉部２を切断しても良いし、真空断熱材７を構成する材料を効率的に取り出すことを考慮して例えば真空断熱材７の中央部にマーク１６を設けて切断を行い、真空断熱材７の真空包装を損傷して取り出しても良い。
【００７１】
切断後は、既知の任意の方法で、外板４、ドアバック１１および充填断熱材８を除去する等により、真空断熱材７あるいは真空断熱材７を構成する材料を効率的に回収することができる。なお、充填断熱材８を用いない構成の場合は、扉部２の切断をしなくても、外板４と真空断熱材７を扉部２より分離することができる。
【００７２】
扉部２の切断手段については特に限定はなく、切断砥石、切断のこぎり、レーザーまたは高圧水等の既知の設備を用いることができる。いずれの切断手段を用いても、真空断熱材７あるいは真空断熱材７を構成する材料を効率的に取り出す位置についてはマーク１６により容易に判断できる。
【００７３】
また、マーク１６はこれを扉部２正面につけた場合には、扉部２は冷蔵庫１の顔でありそこに真空断熱材７の切り出し推奨位置のマーク１６を設けることはデザイン上大変なイメージ低下を招くが、このマーク１６を枠１７に設けることにより、マーク１６を極力隠すことができ、またマーク１６を冷蔵庫１の扉部２のデザインとして取り入れることが可能となる効果が得られる。
【００７４】
また、マーク１６は枠１７の製造時にその金型を加工することにより簡単に作製することができる効果も得られる。なお、マーク１６は枠１７の上下左右の４つの面に設ける場合について説明を行ったがマーク１６は枠１７の上下または左右の２つの面に設けられた場合でも上面右と下面右、上面左と下面左または左面上と右面上、左面下と右面下を結ぶことによりマーク１６がそれぞれ得られる。
【００７５】
このマーク１６に正確に沿って扉部２を切断することにより真空断熱材７あるいは真空断熱材７を構成する材料を効率的に回収することができるため、マーク１６は、少なくとも対抗する２つの面にあった場合でもよい。
【産業上の利用可能性】
【００７６】
以上のように、本発明にかかる冷蔵庫は、真空断熱材あるいは真空断熱材を構成する材料を再利用しやすい形状で容易に回収することができる効果が得られ、更に、真空断熱材は、破砕分別と再処理により回収する方法より、安価に再利用することができるとともに、破砕により回収しきれない材料の廃棄や焼却処理による環境汚染も抑制することが可能となるので、真空断熱材の様に内部に充填され別途回収が必要なものを有する断熱箱体を備えた製品にも適用できる。
【図面の簡単な説明】
【００７７】
【図１】本発明の実施の形態１の冷蔵庫の外観を示す斜視図
【図２】同実施の形態の冷蔵庫の扉部の背面図
【図３】同実施の形態の冷蔵庫の扉部の断面図
【図４】本発明の実施の形態２の冷蔵庫の扉部の断面図
【図５】本発明の実施の形態３の冷蔵庫の扉部の断面図
【図６】同実施の形態の冷蔵庫の扉部の背面図
【図７】本発明の実施の形態４の冷蔵庫の扉部の正面図
【符号の説明】
【００７８】
１    冷蔵庫
２    扉部
３    壁部
４    外板
５    内板
７    真空断熱材
８    充填断熱材
８ａ  ガスケット
９    外被材
１１  ドアバック
１３  マーク
１４  マーク
１５  マーク
１６  マーク
１７  枠
【図１】
2006118809.tif 000003
【図２】
2006118809.tif 000004
【図３】
2006118809.tif 000005
【図４】
2006118809.tif 000006
【図５】
2006118809.tif 000007
【図６】
2006118809.tif 000008
【図７】
2006118809.tif 000009